(57)【特許請求の範囲】
【請求項１】
ＰＣスラブにＰＣ飾り柱を接合してなるＰＣ飾り柱の接合構造であって、
前記ＰＣスラブの下側にＰＣ飾り柱が配置されており、
前記ＰＣ飾り柱に、接続鉄筋がその上端部を前記ＰＣ飾り柱の上端面から突出させて埋設されており、
前記ＰＣスラブに、上下に貫通しかつ前記接続鉄筋より大径の貫通孔が形成されており、この貫通孔に下から前記接続鉄筋の上端部が挿通されおり、
前記貫通孔の下部は空洞として、上部に充填材が充填されていることを特徴とするＰＣ飾り柱の接合構造。
【請求項２】
前記ＰＣスラブの上側にＰＣ飾り柱が配置されており、
このＰＣ飾り柱の下端部にジョイント部が該ＰＣ飾り柱の下端面に開口するようにして設けられており、
前記接続鉄筋の上端部は、前記貫通孔から上方に突出しおり、この突出している接続鉄筋が前記ジョイント部に挿入され、
前記ジョイント部に充填材が充填されていることを特徴とする請求項１に記載のＰＣ飾り柱の接合構造。
【請求項３】
前記ＰＣ飾り柱の上端部に、該ＰＣ飾り柱の上端面に開口し、かつ前記接続鉄筋より大径の空洞部が形成されており、
この空洞部を前記接続鉄筋が通っていることを特徴とする請求項１または２に記載のＰＣ飾り柱の接合構造。
【発明の詳細な説明】
【技術分野】
【０００１】
本発明は、ＰＣ飾り柱の接合構造に関する。
【背景技術】
【０００２】
ＰＣマリオン（飾り）柱をＰＣスラブに接合する方法の一例として、特許文献１に記載の技術が知られている。
この技術は、ＰＣマリオン柱の下端部に形成された定着穴内に、ＰＣスラブに埋設され、かつ先端部が突出する定着筋７を差し込んで、ＰＣマリオン柱をＰＣスラブに接合するものである。
【０００３】
また、ＰＣマリオン（飾り）柱をＰＣスラブに接合する接合構造の一例として、図６に示すものが知られている。
図６に示すように、ＰＣ（プレキャスト）スラブ１は、例えば鉄筋コンクリート造の建物のバルコニー床を構成するものであり、このＰＣスラブ１には接続鉄筋２が埋設されている。この接続鉄筋２はＰＣスラブ１の先端部から上方に突出しており、この突出した接続鉄筋２が上側のＰＣ（プレキャスト）飾り柱３に接続されている。
すなわち、ＰＣ飾り柱３の下端部には、筒状のジョイント金物４がその下端開口をＰＣ飾り柱３の下端面に開口させて埋設されており、このジョイント金物４の上部には、ＰＣ飾り柱３に埋設された鉄筋５の下端部が挿入されている。
そして、ＰＣ飾り柱３は、ＰＣスラブ１の先端部上に建て込まれ、ＰＣスラブ１の先端部から突出している接続鉄筋２が前記ジョイント金物４の下部に挿入されたうえで、ジョイント金物４に無収縮モルタル等の充填材６を充填することによって、ＰＣスラブ１に接合されている。
【０００４】
一方、ＰＣスラブ１の下側に配置されたＰＣ飾り柱３の上端部は、ＰＣスラブ１にＬ型の接合金物７によって、ＰＣスラブ１と所定の隙間をもって接合されている。
すなわちまず、ＰＣスラブ１の先端部下面およびＰＣ飾り柱３の上端部には、それぞれ図示しないインサートが埋設されている。
そして、接合金物７の水平な一片部をＰＣスラブ１に埋設されたインサートに固定用ボルト８によって固定し、鉛直な他片部をＰＣ飾り柱３に埋設されたインサートに固定用ボルト８によって固定することによって、ＰＣ飾り柱３の上端部が、ＰＣスラブ１に接合金物６を介して接合されている。
接合金物７には、固定用ボルトを挿通するためのボルト孔が形成されているが、接合金物７の一片部に形成されているボルト孔は、図６において紙面と直交する水平方向に長尺な長孔であり、他片部に形成されているボルト孔は、上下方向に長尺な長孔である。
また、接合金物７は通常、居住者に見えないように覆い隠している。
【０００５】
上記のようにしてＰＣ飾り柱３をＰＣスラブ１に接合することによって、ＰＣ飾り柱３は、非構造部材として建物の変形に追従する収まりとなる。すなわち、ＰＣ飾り柱３は、接合金物７に形成された長孔によって可動なものとなっているので、地震力によって建物が強制変形した場合、ＰＣ飾り柱３は建物の変形に追従する。
【特許文献１】特開２００１−２６２６８４号公報
【発明の開示】
【発明が解決しようとする課題】
【０００６】
ところで、上記従来のＰＣ飾り柱の接合構造では、ＰＣ飾り柱ごとに２個の接合金物や、接合金物を固定するためのインサート、固定用ボルト、ナットを使用しているので、その分、材料コスト増となる。
また、インサート、固定用ボルト、ナットなど全ての金属は腐食防止処理（溶融亜鉛メッキなど）が必要となりコスト増となる。
さらに、接合金物の取付工事、目隠し工事が必要となることもあり、その分手間がかかりその分コスト増となる。
また、接合金物の長孔は、図６において左右方向（面外方向）には長尺でなく、固定ボルトの遊びがなく、大地震時の慣性力によるＰＣ飾り柱の転倒防止の役目を果たすため、
固定させるための大きな力が発生し、接合金物には十分な剛性と強度が要求され大きなものとなり、さらにコスト増を招くことになる。
【０００７】
本発明は上記事情に鑑みてなされたものであり、ＰＣ飾り柱を、非構造部材として建物の変形に追従する収まりとすることができるとともに、接合金物や、それに付随するインサート、固定用ボルト、ナット、それらの取付工事、目隠し工事を省略することによって、コスト低減を図れるＰＣ飾り柱の接合構造を提供することを課題としている。
【課題を解決するための手段】
【０００８】
上記課題を解決するために、請求項１に記載の発明は、ＰＣスラブにＰＣ飾り柱を接合してなるＰＣ飾り柱の接合構造であって、
前記ＰＣスラブの下側にＰＣ飾り柱が配置されており、
前記ＰＣ飾り柱に、接続鉄筋がその上端部を前記ＰＣ飾り柱の上端面から突出させて埋設されており、
前記ＰＣスラブに、上下に貫通しかつ前記接続鉄筋より大径の貫通孔が形成されており、この貫通孔に下から前記接続鉄筋の上端部が挿通されおり、
前記貫通孔の下部は空洞として、上部に充填材が充填されていることを特徴とする。
【０００９】
請求項２に記載の発明は、請求項１に記載のＰＣ飾り柱の接合構造において、
前記ＰＣスラブの上側にＰＣ飾り柱が配置されており、
このＰＣ飾り柱の下端部にジョイント部が該ＰＣ飾り柱の下端面に開口するようにして設けられており、
前記接続鉄筋の上端部は、前記貫通孔から上方に突出しおり、この突出している接続鉄筋が前記ジョイント部に挿入され、
前記ジョイント部に充填材が充填されていることを特徴とする。
【００１０】
請求項３に記載の発明は、請求項１または２に記載のＰＣ飾り柱の接合構造において、前記ＰＣ飾り柱の上端部に、該ＰＣ飾り柱の上端面に開口し、かつ前記接続鉄筋より大径の空洞部が形成されており、
この空洞部を前記接続鉄筋が通っていることを特徴とする。
【発明の効果】
【００１１】
請求項１に記載の本発明によれば、ＰＣ飾り柱に、接続鉄筋がその上端部をＰＣ飾り柱の上端面から突出させて埋設されており、この突出した接続鉄筋がＰＣスラブに形成された貫通孔に下から挿通され、この貫通孔の下部は空洞として、上部に充填材が充填されているので、接続鉄筋とＰＣスラブとを一体化できる。
また、ＰＣスラブに形成された貫通孔の下部の空洞において接続鉄筋は変形可能となり、この空洞において建物全体の変形（層間変形）を接続鉄筋が変形することによって吸収できるので、ＰＣ飾り柱を、非構造部材として建物の変形に追従する収まりとすることができる。
さらに、接合金物や、それに付随するインサート、固定用ボルト、ナット、それらの取付工事、目隠し工事を省略することができ、コスト低減を図れる。
【００１２】
請求項２に記載の発明によれば、上側のＰＣ飾り柱の下端部にジョイント部が該ＰＣ飾り柱の下端面に開口するようにして設けられており、ＰＣスラブの貫通孔から上方に突出している接続鉄筋が前記ジョイント部に挿入され、このジョイント部に充填材が充填されているので、上下のＰＣ飾り柱とその間にあるＰＣスラブとを一体化して確実に接合できる。
【００１３】
請求項３に記載の発明によれば、ＰＣ飾り柱の上端部に、該ＰＣ飾り柱の上端面に開口し、かつ前記接続鉄筋より大径の空洞部が形成されており、この空洞部を前記接続鉄筋が通っているので、接続鉄筋が変形可能となる長さを長くとれる。したがって、ＰＣスラブに形成された貫通孔の下部の空洞の高さを十分とれない場合でも、接続鉄筋を確実に変形可能とすることができる。
【発明を実施するための最良の形態】
【００１４】
以下図面を参照して本発明の実施の形態について説明する。
図１は本発明に係るＰＣ飾り柱の接合構造の一例を示す側断面図、図２はＰＣスラブの先端部上面を示す平面図である。
図１および図２において、符号１０はＰＣ（プレキャスト）スラブを示す。ＰＣスラブ１０は鉄筋コンクリート造の建物のバルコニー床を構成するものであり、その内部にはスラブ筋１１が配置されている。
【００１５】
前記ＰＣスラブ１０の先端部には、上下に貫通し、かつ後述する接続鉄筋１６より大径の貫通孔１２が形成されている。この貫通孔１２はその途中に段差が形成されおり、この段差より上部が大径の上部孔１２ａとなっており、段差より下部が上部孔１２ａより小径の下部孔１２ｂとなっている。
前記上部孔１２ａは四角筒状の型枠１３をＰＣスラブ１０中に埋設することによって形成されたものである。なお、この型枠１３はＰＣスラブ１０中に残しておいてもよいし、抜き出してもよい。
前記下部孔１２ｂは、箱型の型枠をＰＣスラブ１０中に設置した後、この型枠をＰＣスラブ１０から抜き出すことによって形成されたものである。
【００１６】
ＰＣスラブ１０の下側にはＰＣマリオン（飾り）柱１５が配置されている。このＰＣマリオン柱１５は、壁状に形成されたものであり、その内部には接続鉄筋１６が上下方向に延在して埋設されている。ＰＣマリオン柱１５の上端面とＰＣスラブ１０の下面との間には隙間が設けられており、この隙間には止水材１７が設けられている。
接続鉄筋１６の上端部はＰＣマリオン柱１５の上端面から突出しており、この突出した接続鉄筋１６はＰＣスラブ１０の貫通孔１２に下から挿通されている。なお、接続鉄筋１６は貫通孔１２の中央部に挿通されている。
また、ＰＣマリオン柱１５の上端部には、該ＰＣマリオン柱１５の上端面に開口し、かつ接続鉄筋１６より大径の空洞部１８が形成されており、この空洞部１８を接続鉄筋１６が通っている。また、この空洞部１８には、ゴムやシリコン等で形成された防水材１９が充填されている。
【００１７】
また、ＰＣスラブ１０の貫通孔１２の段差には止水材２０が設置されており、この止水材２０より下方の下部孔（貫通孔１２の下部）１２ｂは空洞となっている。また、止水材２０より上方の上部孔（貫通孔１２の上部）１２ａには無収縮モルタル等の充填材２１が充填されている。これによって、接続鉄筋１６とＰＣスラブ１０とは一体化されている。
【００１８】
前記ＰＣスラブ１０の上側にはＰＣマリオン（飾り）柱２５が配置されている。このＰＣマリオン柱２５は、前記ＰＣマリオン柱１５と同様の壁状に形成されており、該ＰＣマリオン柱１５の直上に、ＰＣスラブ１０を挟んで配置されている。
ＰＣマリオン柱２５の下端面とＰＣスラブ１０の下面との間には隙間が設けられており、この隙間には止水材２６が設けられている。
また、ＰＣマリオン柱２５の下端部には、ジョイント部２７が該ＰＣマリオン柱２５の下端面に開口するようにして設けられている。このジョイント部２７は、ＰＣマリオン柱２５の下端部に埋設された筒状のジョイント金物２８と、このジョイント金物２８の下端開口からＰＣマリオン柱２５の下端面との間に形成された孔２９とから構成されており、この孔２９は下方に向かって漸次拡径し、その下端はＰＣマリオン柱２５の下端面に開口している。
【００１９】
前記ジョイント部２７には、ＰＣスラブ１０の貫通孔１２から上方に突出した接続鉄筋１６が挿入されている。
また、ＰＣマリオン柱２５の内部には、接続鉄筋３０が上下方向に延在して埋設されている。この接続鉄筋３０の下端部は前記ジョイント金物２８に上方から挿入されている。ジョイント金物２８の上端開口は接続鉄筋３０を挿入する部分を除いて閉塞されている。  なお、接続鉄筋３０と接続鉄筋１６とは同軸に配置されている。
そして、前記ジョイント部２７および前記止水材２６の内側でかつＰＣマリオン柱２５の下端面とＰＣスラブ１０の下面との間の隙間には、無収縮モルタル等の充填材２１が充填されている。これによって、接続鉄筋１６とＰＣマリオン柱２５とは一体化されている。
なお、前記接続鉄筋１６の表面のうち、外気に接する部分およびかぶり厚に相当する深さまでは防錆処理３１が施されている。すなわち、前記空洞部１８の底面より所定の深さの下方位置と、前記下部孔１２の上端より上方に所定長さだけの上方位置との間にある接続鉄筋１６の表面に防錆処理３１が施されている。
【００２０】
前記充填材２１は以下のようにして、前記ジョイント部２７および前記止水材２６の内側でかつＰＣマリオン柱２５の下端面とＰＣスラブ１０の下面との間の隙間、前記上部孔（貫通孔１２の上部）１２ａに充填されている。
すなわち、ＰＣマリオン柱２５の下端部の側面には、充填材圧入孔３２と充填材排出孔３３とが上下に離間して形成されており、これらは、前記ジョイント金物２８の側面に上下に離間して形成された２つの開口にそれぞれ接続されている。
そして、充填材圧入孔３２から無収縮モルタル等の充填材２１を圧入していくと、この充填材２１がジョイント金物２８内、孔２９内、止水材２６の内側でかつＰＣマリオン柱２５の下端面とＰＣスラブ１０の下面との間の隙間、止水材２０より上方の上部孔１２ａに充填されていき、余分の充填材２１は充填材排出孔３３から排出される。
このようにして充填材２１はジョイント部２７、止水材２６の内側でかつＰＣマリオン柱２５の下端面とＰＣスラブ１０の下面との間の隙間、上部孔１２ａに充填されている。
【００２１】
なお、前記ＰＣマリオン柱２５の上端部は、ＰＣマリオン柱１５の上端部と同様の構造になっており、ＰＣマリオン柱１５の下端部は、ＰＣマリオン柱２５の下端部と同様の構造となっている。つまり、上下に隣り合うＰＣスラブ１０，１０間にＰＣマリオン柱１５（２５）が配置されている。
また、壁状のＰＣマリオン柱１５，２５には、それぞれ接続鉄筋１６，３０がＰＣマリオン柱１５，２５の幅方向両側にそれぞれ設けられている。
【００２２】
次に上記構成のＰＣ飾り柱の接合構造の施工方法について図３〜図５を参照して説明する。
まず、図３に示すように、上端面から上方に突出する接続鉄筋１６を有する下側のＰＣマリオン柱１５の上面に止水材１７を設置したうえで、ＰＣスラブ１０をＰＣマリオン柱１５の上方にクレーン等によって吊り下げる。この際、ＰＣマリオン柱１５から突出する接続鉄筋１６の延長上に、ＰＣスラブ１０の貫通孔１２が接続鉄筋１６と同軸となるようにして、ＰＣスラブ１０を吊り下げる。なお、ＰＣマリオン柱１５の上端面には空洞部１８が予め形成されている。
【００２３】
次に、図４に示すように、ＰＣマリオン柱１５の空洞部１８に防水材１９を充填したうえで、ＰＣスラブ１０を吊り降ろして、ＰＣマリオン柱１５の上端面に止水材１７を介して設置する。ＰＣスラブ１０を吊り降ろすことによって、接続鉄筋１６がＰＣスラブ１０の貫通孔１２に下から貫通され、その上端部は貫通孔１２より上方に突出する。
次に、貫通孔１２の上端開口から止水材２６を落とし込んで段差に設置するとともに、ＰＣスラブ１０の上面に止水材２６を設置する。
次に、上側のＰＣマリオン柱２５をＰＣスラブ１０の上方にクレーン等によって吊り下げる。この際、ＰＣスラブ１０の貫通孔１２から突出する接続鉄筋１６の延長上に、ＰＣマリオン柱２５のジョイント部２７が接続鉄筋１６と同軸となるようにして、ＰＣマリオン柱２５を吊り下げる。なお、ＰＣマリオン柱２５の下端部には、予めジョイント部２７が設けられており、このジョイント部２７にはＰＣマリオン柱２５内に埋設された接続鉄筋３０の下端部が挿入されている。
【００２４】
次に、図５に示すように、ＰＣマリオン柱２５を吊り降ろして、ＰＣスラブ１０の上面に止水材２６を介して設置する。ＰＣマリオン柱２５を吊り降ろすことによって、接続鉄筋１６がＰＣマリオン柱２５のジョイント部２７に下から貫通される。
次に、充填材圧入孔３２から無収縮モルタル等の充填材２１を圧入していくと、この充填材２１は、ジョイント部２７内、止水材２６の内側でかつＰＣマリオン柱２５の下端面とＰＣスラブ１０の下面との間の隙間、止水材２０より上方の上部孔１２ａに充填されていき、余分の充填材２１は充填材排出孔３３から排出される。
このようにして充填材２１をジョイント部２７、止水材２６の内側でかつＰＣマリオン柱２５の下端面とＰＣスラブ１０の下面との間の隙間、上部孔１２ａに充填し、施工を終了する。
【００２５】
本実施の形態によれば、ＰＣマリオン柱１５に、接続鉄筋１６がその上端部をＰＣマリオン柱１５の上端面から突出させて埋設されており、この突出した接続鉄筋１６がＰＣスラブ１０に形成された貫通孔１２に下から挿通され、この貫通孔１２の下部の下部孔１２ｂは空洞として、上部の上部孔１２ａに充填材２１が充填されているので、接続鉄筋１６とＰＣスラブ１０とを一体化できる。
また、ＰＣスラブ２０に形成された貫通孔１２の下部の空洞（下部孔１２ｂ）において接続鉄筋１６は拘束されていないので変形可能となり、この空洞において建物全体の変形（層間変形）を接続鉄筋１６が変形することによって吸収できるので、ＰＣマリオン柱１５を、非構造部材として建物の変形に追従する収まりとすることができる。
さらに、従来使用していた接合金物や、それに付随するインサート、固定用ボルト、ナット、それらの取付工事、目隠し工事を省略することができ、コスト低減を図れる。
また、従来使用していた接合金物やこれを固定するための固定用ボルト、ナットが不要であるため、外部に突出するものがなく、バルコニーの外観意匠性が高まる。
【００２６】
また、上側のＰＣマリオン柱２５の下端部にジョイント部２７が該ＰＣマリオン柱２５の下端面に開口するようにして設けられており、ＰＣスラブ１０の貫通孔１２から上方に突出している接続鉄筋１６が前記ジョイント部２７に挿入され、このジョイント部２７に充填材２１が充填されているので、上下のＰＣマリオン柱１５，２５とその間にあるＰＣスラブ１０とを一体化して確実に接合できる。
また、大地震の水平方向の慣性力による転倒に対しては、接続鉄筋１６が塑性変形して下部孔１２ｂの内壁面に当接してＰＣマリオン柱２５の転倒・脱落を防止できる。
さらに、建物の強制変形によるＰＣマリオン柱１５，２５やＰＣスラブ１０の外観上の損傷を低減でき、補修等も容易となる。
【００２７】
また、ＰＣマリオン柱１５の上端部に空洞部１８が形成されており、この空洞部１８を接続鉄筋１６が通っているので、接続鉄筋１６が変形可能となる長さを長くとれる。つまり、接続鉄筋１６の変形可能な長さである可撓領域を、ＰＣスラブ１０の貫通孔１２の下部孔１２ｂの高さに、ＰＣスラブ１０の上面とＰＣマリオン柱１５の下端面との間隔および空洞部１８の高さを加えた長さとすることがきる。したがって、ＰＣスラブ１０に形成された貫通孔１２の下部の空洞（下部孔１２ｂ）の高さを十分とれない場合でも、接続鉄筋１６を確実に変形可能とすることができる。
また、空洞部１８には弾性力のあるゴム材などにより形成された防水材１９が充填されているので、この空洞部１８への雨水等の浸入を防止できるとともに、空洞部１８で接続鉄筋１６が十分に変形可能となる。
なお、ＰＣスラブ１０に形成された貫通孔１２の下部の空洞（下部孔１２ｂ）の高さを十分とれる場合は、空洞部１８は省略してもよい。
【図面の簡単な説明】
【００２８】
【図１】本発明に係るＰＣ飾り柱の接合構造の一例を示すもので、その側断面図である。
【図２】同、ＰＣスラブの先端部上面を示す平面図である。
【図３】本発明に係るＰＣ飾り柱の接合構造の施工方法を説明するためのものあり、下側のＰＣマリオン柱の上方にＰＣスラブを配置した状態を示す側断面図である。
【図４】同、下側のＰＣマリオン柱にＰＣスラブを設置した状態を示す側断面図である。
【図５】同、ＰＣスラブに上側のＰＣマリオン柱を設置して充填材を充填した状態を示す側断面図である。
【図６】従来のＰＣ飾り柱の接合構造の一例を示すもので、その側断面図である。
【符号の説明】
【００２９】
１０  ＰＣスラブ
１２  貫通孔
１２ａ  上部孔
１２ｂ  下部孔
１５，２５  ＰＣマリオン（飾り）柱
１６，３０  接続鉄筋
１８  空洞部
２１  充填材
２７  ジョイント部 
【図１】
0004950107.tif 000002
【図２】
0004950107.tif 000003
【図３】
0004950107.tif 000004
【図４】
0004950107.tif 000005
【図５】
0004950107.tif 000006
【図６】
0004950107.tif 000007